(57)【特許請求の範囲】
【請求項１】
プラスチック管による上下水道やガス管の配管工事において用いられ、プラスチック管が差込んで連結される差込部を複数備えたプラスチック製の管継手において、一つの差込部から他の差込部に至る流路を遮断する隔壁と、穿孔工具が進退可能である装着孔を有し、該装着孔に装着された穿孔工具を押込むことにより、隔壁の全部若しくは大部分に孔あけが行われる遮断継手であって、一つの差込部と他の差込部が偏芯して一の差込部から他の差込部に至る流路が段をなし、前記装着孔の延長上に位置する前記段に前記隔壁が前記装着孔の延長方向に対し傾斜して形成されることを特徴とする遮断継手。
【発明の詳細な説明】
【技術分野】
【０００１】
本発明は、プラスチック管による上下水道やガス管の配管工事において用いられ、使用時までは管を遮断しておき、使用時において開口される遮断継手に関する。
【背景技術】
【０００２】
ガス管を例にとっていえば、ガス管としては近年、上下水道管についてもそうであるが、プラスチック管、ことにポリエチレン管が普及し、その配管は従来より主に公道に埋設されている。そして家の新築工事のためガスの供給を受けるときには、最寄に敷設されたガス管から分岐管を分岐させて民地内に引込む引込み工事が行われるが、引込み工事に際しては、民地のみならず、公道も掘削する必要があり、公道を掘削するには、行政に対する占有許可等の手続が必要であるほか、何よりも公道に至るまでの掘削は、掘削量が多くなり、その復旧工事を含め工事費を高価にする要因となっていた。そこで近年では、公道にガス管を敷設する際には、予めガス管より分岐管を分岐させて、その端部を民地内に引込み、端部に簡易バルブを取付けて、盲にした状態で埋設しておき、新築等のためガスの供給を受けるときには、民地側に敷設されたガス管と、上記分岐管端部とを継手により接続したのち、バルブを開くことで、公道の掘削を不要にする工法が多く用いられている。この工法で用いられるバルブは簡易バルブとはいえ、比較的高価であり、また分岐管敷設後、何らかの原因でバルブが緩むと、ガス洩れを生じたり、使用に至るまでの期間が長くなると、バルブのゴム製のパッキンやｏリングなどのシール部分が劣化し、ガス漏れを生ずるおそれがある。
【０００３】
下記特許文献１には、例えば建物の取壊し時に民地内のガス配管を撤去してガスの供給を停止する必要がある場合、公道と民地との間の地面を掘削して埋設管を剥き出しにし、分断箇所の管を押し潰して封止したのち、民地側の管を切断しておく。そしてその後、ガスの供給を再開するときには、押し潰して封止した既設管を分割した継手で挟み込んで締結したのち、民地内の新設管を継手に連結し、ついで継手に切断装置を挿入して既設管の封止箇所を切断する工法が開示されている。
【特許文献１】特開２０００−８８１４１号
【発明の開示】
【発明が解決しようとする課題】
【０００４】
上述の特許文献１に開示される工法によれば、バルブを用いないで使用時までガス管を遮断することができるが、ガスの供給を遮断して再開するまでに管を押し潰して封止する工程と、継手を組合わせて締結する工程と、新設管を継手に連結する工程と、切断装置で封止箇所を切断して開口する工程が必要であり、また押し潰して封止した箇所からガス漏れを生ずるおそれがあって、ガスの遮断に確実性を欠くほか、切断も押し潰した箇所を切断するため、開口も押し潰された状態となって開口面積が小さくなる嫌いがある。
【０００５】
本発明は、管の遮断が継手を取付けるだけで容易かつ確実に行われ、使用時における開口もプラスチック管を切断することなく行うことができる遮断継手を提供することを目的とする。
【課題を解決するための手段】
【０００６】
請求項１に係わる発明は、プラスチック管による上下水道やガス管の配管工事において用いられ、プラスチック管が差込んで連結される差込部を複数備えたプラスチック製の管継手において、一つの差込部から他の差込部に至る流路を遮断する隔壁と、穿孔工具が進退可能である装着孔を有し、該装着孔に装着された穿孔工具を押込むことにより、隔壁の全部若しくは大部分に孔あけが行われる遮断継手であって、一つの差込部と他の差込部が偏芯して一の差込部から他の差込部に至る流路が段をなし、前記装着孔の延長上に位置する前記段に前記隔壁が前記装着孔の延長方向に対し傾斜して形成されることを特徴とする。
【０００７】
本発明における継手において、差込部が三個以上設けられる場合、一つの隔壁で流路を全て遮断するようにしてもよいし、隔壁を二個以上設けて流路を個別に遮断するようにしてもよい。
【０００８】
穿孔工具は、押込みによって隔壁に孔あけが行われるようになっているものであればよく、その種類を問わないが、敢えて例示すればホールソー、特許文献１に開示されるような切断装置を挙げることができる。この穿孔工具は装着孔に装着しておいて、管埋設時に埋設するようにしてもよいし、装着孔に例えば特許文献１に開示されるようなシャッターを設けて装着孔を開閉できるようにしたり、装着孔を塞ぐ隔壁を設け、開口時にシャッターで装着孔を開いてから穿孔工具を装着孔に装入して押込むようにしたり、穿孔工具を装入して装着孔を塞ぐ隔壁を突き破って押込むようにしてもよい。開口後、シャッターが設けられる場合には、穿孔工具を引出して取外すことができるが、シャッターが設けられない場合、穿孔工具は好ましくは装着孔内にとどめて埋殺される。
【発明の効果】
【００１０】
請求項１に係わる発明の遮断継手によると、一の差込部をプラスチック管に差込んで連結するだけでプラスチック管に何等かの加工を要することなくプラスチック管を容易かつ確実に遮断することができ、また穿孔工具を押込んで隔壁に孔あけをすることにより開口することができ、隔壁への孔あけはプラスチック管に関係なく行われ、プラスチック管を変形させることもない。しかも隔壁への穿孔時には、穿孔工具が隔壁に斜めに当たることにより隔壁にあけられる開口の開口面積を大きくすることができる。
【発明を実施するための最良の形態】
【００１２】
以下、本発明の実施形態の遮断継手について図面により説明する。
図１〜図４は、参考形態の遮断継手について示すもので、該遮断継手Ａは、両側にポリエチレン管９が差込んで熱融着される差込部１を、中央に胴部２を直交して形成したポリエチレン製の成形品よりなり、胴部２は円筒状で、後述のホールソーが捩じ込まれる装着孔３を有し、外周には上部に環状溝４が、その下部にネジが刻設されている。そして上方よりキャップ５が捩じ込んで取付けられている。図中、６はシールのため環状溝４に装着されるｏリングである。
【００１３】
胴部２にはまた、装着孔３の底部に装着孔３を塞ぐ隔壁７が一体形成され、この隔壁７には空気抜き８が形成されている。
【００１４】
両差込部１の中央には、一方の差込部１から他方の差込部１に達する流路１０を遮断する隔壁１１が一体に形成される。この隔壁１１は上記空気抜き８と対向する周面から立上がるセグメント状の立上がり部１１ａと、該立上がり部１１ａ端から軸線方向に延出する横壁部１１ｂと該横壁部端と、流路１２を形成する継手Ａの内周面を連結して形成される湾曲壁１１ｃよりなり、横壁部１１ｂの大半と湾曲壁１１ｃは、図１の一点鎖線で示すように装着孔３の延長の範囲内に位置し、後述の穿孔工具であるホールソー１３で切断されうるようになっている。
【００１５】
将来、民地へガス供給するため管工事を行うときには、ガス管より分岐した分岐管に継手Ａを取付けた後、継手Ａのキャップ５及びホールソー１３を外して空気抜き８から空気を抜く。そしてガスが出始めてからホールソーを装着孔３に捩じ込んで挿入し、キャップを取り付けた後に埋設する。公道での管工事後、民地内へのガス供給が必要となったときには、民地内に配管した新規管と接続した後、キャップ５を外してホールソー１３を捩じ込み、隔壁７を切断して突き破る。続いて更なるホールソー１３の捩じ込みにより湾曲壁１１ｃの両側、最後に横壁部１１ｂの根元を切断し孔をあける。穿孔後、ホールソー１３を引き上げ装着孔内にとどめる。そしてキャップ５を捩じ込んで取付ける。図４は開口後の流路１２の断面を示すもので、流路内には立上がり部１１ａと湾曲壁１１ｃの両側の一部が突出して残った状態となっている。
【００１６】
上記実施形態の遮断継手Ａは、ポリエチレン管９と熱融着されるようになっているが、電気融着されるようにしてもよい。またホールソー１３は公道での管工事後、継手Ａに装着して埋設しておくのではなく、民地内に配管した新規管を継手Ａに接続した後に継手Ａの装着孔３に挿入して穿孔するようにしてもよい。
【００１７】
図５は、本発明の実施形態の遮断継手Ｂについて示すもので、図１に示す継手Ａと同一構造部分には同一符号を付して、その説明を省略する。
【００１８】
継手Ｂの両側の差込部１は偏芯して、一方の差込部１から他方の差込部１に至る流路１５が中央部で段１５ａをなし、該段１５ａに流路を遮断する傾斜した隔壁１６が一体に形成されている。
【００１９】
本継手Ｂにおいても継手Ａと同様の作業が行われる。すなわち公道での管工事を行う際には、ガス管より分岐した分岐管に継手Ｂを取付けた後、継手Ｂのキャップ５及びホールソー１３を外して空気抜きを行ったのち、キャップ５及びホールソー１３を取付けて埋設する。そして将来、民地内へガス配管をしてガス供給を行うときには、民地内に配管した新規管を継手Ｂに接続したのちキャップを外し、ホールソー１３で孔あけを行う。図６は穿孔後の流路１４の段１５ａでの断面を示すものである。
【００２０】
図７は、本発明に係わる遮断継手Ａ、Ｂの適用例を示すもので、公道２１にガス管２２を敷設するに際し、民地２３側に分岐管２４を分岐させて突出し、民地内に突出する端部に遮断継手Ａ、Ｂを取付ける。
【００２１】
別の適用例としては、ガス配管同士の連結部に用いられる。例えば高層建築物の各階に階ごとに独立したガス配管を行い、各階のガス配管を連結する部分に前述の遮断継手Ａ、Ｂが取付けられる。各階の遮断継手Ａ、Ｂを順に開口することにより各階に順にガスが導通される。
【００２２】
以上は、ガス配管に適用した例について述べたが、上下水道管についても同様に適用される。
【産業上の利用可能性】
【００２３】
本発明の遮断継手は、例えば公道に埋設される上下水道やガス管より分岐する分岐管の民地内に突出する端部に使用時まで盲にして遮断したり、配管同士を連結する連結部を使用時まで遮断するのに用いることができる。
【図面の簡単な説明】
【００２４】
【図１】参考形態の分岐継手の断面図。
【図２】図１のＣ−Ｃ線での拡大断面図。
【図３】開口後の断面図。
【図４】開口後のＣ−Ｃ線での拡大断面図。
【図５】実施形態の分岐継手の断面図。
【図６】開口後における図５のＤ−Ｄ線での拡大断面図。
【図７】本発明に係わる分岐継手の適用例を示す略図。
【符号の説明】
【００２５】
１・・差込部
２・・胴部
３・・装着孔
４・・環状溝
５・・キャップ
６・・ｏリング
７、１１、１６・・隔壁
８・・空気抜き
９・・ポリエチレン管
１０、１５・・流路
１３・・ホールソー
１５ａ・・段
２１・・公道
２２・・ガス管
２３・・民地
Ａ、Ｂ・・遮断継手
【図１】
0004799184.tif 000002
【図２】
0004799184.tif 000003
【図３】
0004799184.tif 000004
【図４】
0004799184.tif 000005
【図５】
0004799184.tif 000006
【図６】
0004799184.tif 000007
【図７】
0004799184.tif 000008